(57)【要約】【課題】送信遅延ジッタによるマルチキャストパケットの品質劣化を抑制すること。【解決手段】アクセスポイントＡＰ１は、無線通信端末ＳＴＡから送信されたパケットから、無線通信端末ＳＴＡを識別するための識別情報と、無線通信端末ＳＴＡがマルチキャストパケットを受信するか否かを示すＭＣ受信情報と、無線通信端末ＳＴＡの通信動作がＰＳモードに設定されているか否かを示す通信動作情報とを抽出する受信パケット解析部３０２と、この抽出した識別情報、ＭＣ受信情報及び通信動作情報を相互に関連付けたＳＴＡテーブル１９を生成し、このＳＴＡテーブル１９をメモリに格納するＳＴＡテーブル管理部３０３、このメモリに格納されたＳＴＡテーブル１９に基づいて、マルチキャストパケットの送信タイミングを制御するパケット送信タイミング制御部３０４とを備える。【選択図】図６
2010081367.tif 000002
【特許請求の範囲】
【請求項１】
仮想キャリアセンスによって無線帯域割り当てを行うパケット伝送方式に従った無線通信を行う無線通信基地局と一又は複数の無線通信端末とを備えた無線通信システムであって、
前記無線通信端末は、
マルチキャストパケットを受信するか否かを示すマルチキャスト受信情報を含むパケットを生成するマルチキャスト受信情報生成手段と、
前記マルチキャスト受信情報生成手段によって生成され前記マルチキャスト受信情報を含むパケットを、前記無線通信基地局に送信するマルチキャスト受信情報送信手段と、
前記無線通信を行うための通信動作が間欠受信モードに設定されているか否かを示す通信動作情報を含むパケットを生成する通信動作情報生成手段と、
前記通信動作情報生成手段によって生成され前記通信動作情報を含むパケットを、前記無線通信基地局に送信する通信動作情報送信手段とを有し、
前記無線通信基地局は、
前記無線通信端末から送信されたパケットを受信する受信手段と、
前記受信手段によって受信された前記パケットから、前記パケットを送信した前記無線通信端末を識別するための識別情報と、前記マルチキャスト受信情報及び前記通信動作情報とを抽出する抽出手段と、
前記抽出手段によって抽出された前記識別情報、前記マルチキャスト受信情報及び前記通信動作情報に基づいて、前記無線通信端末に対するマルチキャストパケットの送信タイミングを制御する送信制御手段と
を有する、ことを特徴とする無線通信システム。
【請求項２】
前記抽出手段によって抽出された前記識別情報、前記マルチキャスト受信情報及び前記通信動作情報を相互に関連付けたテーブル情報を生成し、このテーブル情報をメモリに格納するテーブル情報生成手段を更に有し、
前記送信制御手段は、前記テーブル情報生成手段によって前記メモリに格納された前記テーブル情報に基づいて、前記送信タイミングを制御する、ことを特徴とする請求項１に記載の無線通信システム。
【請求項３】
前記マルチキャスト受信情報は、マルチキャストパケットを受信するか否かを示す１ビット分の情報である、ことを特徴とする請求項１又は２に記載の無線通信システム。
【請求項４】
前記マルチキャスト受信情報は、受信対象となっているマルチキャストパケットのマルチキャストアドレスの一部又は全部を示す、ことを特徴とする請求項１又は２に記載の無線通信システム。
【請求項５】
前記マルチキャスト受信情報生成手段は、前記マルチキャスト受信情報を含むアソシエーションリクエストパケットを生成する、ことを特徴とする請求項１〜４の何れか一項に記載の無線通信システム。
【請求項６】
前記マルチキャスト受信情報生成手段は、前記マルチキャスト受信情報を含むデータパケット又は制御パケットを生成する、ことを特徴とする請求項１〜４の何れか一項に記載の無線通信システム。
【請求項７】
前記マルチキャスト受信情報生成手段は、前記マルチキャスト受信情報を含みマルチキャストパケットの受信要求を行うリクエストパケットを生成する、ことを特徴とする請求項１〜４の何れか一項に記載の無線通信システム。
【請求項８】
前記無線通信端末は、マルチキャストパケットの受信を開始する旨の設定入力がされた場合、前記通信動作が前記間欠受信モードに設定されていれば前記間欠受信モードを解除し、マルチキャストパケットの受信を終了する旨の設定入力がされた場合、前記通信動作を前記間欠受信モードに設定する設定解除手段を更に有する、ことを特徴とする請求項１〜７の何れか一項に記載の無線通信システム。
【請求項９】
外部通信網から送信されたマルチキャストパケットが前記無線通信基地局の前記受信手段によって受信されると、前記無線通信基地局の前記送信制御手段は、
前記受信手段によって受信されたマルチキャストパケットを受信するように設定され且つ前記間欠受信モードに設定されている無線通信端末が少なくとも一つある場合、前記受信手段によって受信されたマルチキャストパケットを前記無線通信基地局のメモリにバッファリングし、ＤＴＩＭビーコンの送信周期で前記バッファリングされたマルチキャストパケットを送信するように前記送信タイミングを制御し、
前記受信手段によって受信されたマルチキャストパケットを受信するように設定され且つ前記間欠受信モードに設定されている無線通信端末が無い場合、前記ＤＴＩＭビーコンを用いずに前記受信手段によって受信されたマルチキャストパケットを送信するように前記送信タイミングを制御する、ことを特徴とする請求項１〜８の何れか一項に記載の無線通信システム。
【請求項１０】
仮想キャリアセンスによって無線帯域割り当てを行うパケット伝送方式に従った無線通信を無線通信基地局と行う無線通信端末であって、
マルチキャストパケットを受信するか否かを示すマルチキャスト受信情報を含むパケットを生成するマルチキャスト受信情報生成手段と、
前記マルチキャスト受信情報生成手段によって生成され前記マルチキャスト受信情報を含むパケットを、前記無線通信基地局に送信するマルチキャスト受信情報送信手段と、
前記無線通信を行うための通信動作が間欠受信モードに設定されているか否かを示す通信動作情報を含むパケットを生成する通信動作情報生成手段と、
前記通信動作情報生成手段によって生成され前記通信動作情報を含むパケットを、前記無線通信基地局に送信する通信動作情報送信手段と
を備える、ことを特徴とする無線通信端末。
【請求項１１】
仮想キャリアセンスによって無線帯域割り当てを行うパケット伝送方式に従った無線通信を一又は複数の無線通信端末と行う無線通信基地局であって、
前記無線通信端末から送信されたパケットを受信する受信手段と、
前記受信手段によって受信された前記パケットから、前記パケットを送信した前記無線通信端末を識別するための識別情報と、前記識別情報の示す前記無線通信端末がマルチキャストパケットを受信するか否かを示すマルチキャスト受信情報と、前記識別情報の示す前記無線通信端末の前記無線通信を行うための通信動作が間欠受信モードに設定されているか否かを示す通信動作情報とを抽出する抽出手段と、
前記抽出手段によって抽出された前記識別情報、前記マルチキャスト受信情報及び前記通信動作情報に基づいて、前記無線通信端末に対するマルチキャストパケットの送信タイミングを制御する送信制御手段と
を備える、ことを特徴とする無線通信基地局。
【請求項１２】
無線通信基地局と一又は複数の無線通信端末とが、仮想キャリアセンスによって無線帯域割り当てを行うパケット伝送方式に従って無線通信を行う無線通信方法であって、
マルチキャストパケットを前記無線通信端末が受信するか否かを示すマルチキャスト受信情報と、前記無線通信を行うための前記無線通信端末の通信動作が間欠受信モードに設定されているか否かを示す通信動作情報とを、前記無線通信端末が前記無線通信基地局に送信する送信ステップと、
前記送信ステップにおいて前記無線通信端末から前記無線通信基地局に送信されたパケットから、前記パケットを送信した前記無線通信端末を識別するための識別情報と、前記マルチキャスト受信情報及び前記通信動作情報とを前記無線通信基地局が抽出する抽出ステップと、
前記抽出ステップにおいて抽出された前記識別情報、前記マルチキャスト受信情報及び前記通信動作情報に基づいて、前記無線通信基地局が前記無線通信端末に対するマルチキャストパケットの送信タイミングを制御する送信制御ステップと
を備える、ことを特徴とする無線通信方法。
【請求項１３】
仮想キャリアセンスによって無線帯域割り当てを行うパケット伝送方式に従った無線通信を無線通信端末が無線通信基地局と行うための無線通信方法であって、
マルチキャストパケットを前記無線通信端末が受信するか否かを示すマルチキャスト受信情報と、前記無線通信を行うための前記無線通信端末の通信動作が間欠受信モードに設定されているか否かを示す通信動作情報とを、前記無線通信端末が前記無線通信基地局に送信する送信ステップを備える、ことを特徴とする無線通信方法。
【請求項１４】
仮想キャリアセンスによって無線帯域割り当てを行うパケット伝送方式に従った無線通信を無線通信基地局が一又は複数の無線通信端末と行うための無線通信方法であって、
前記無線通信端末から前記無線通信基地局に送信されたパケットから、前記パケットを送信した前記無線通信端末を識別するための識別情報と、前記識別情報の示す前記無線通信端末がマルチキャストパケットを受信するか否かを示すマルチキャスト受信情報と、前記識別情報の示す前記無線通信端末の前記無線通信を行うための通信動作が間欠受信モードに設定されているか否かを示す通信動作情報とを前記無線通信基地局が抽出する抽出ステップと、
前記抽出ステップにおいて抽出された前記識別情報、前記マルチキャスト受信情報及び前記通信動作情報に基づいて、前記無線通信基地局が前記無線通信端末に対するマルチキャストパケットの送信タイミングを制御する送信制御ステップと
を備える、ことを特徴とする無線通信方法。
【発明の詳細な説明】
【技術分野】
【０００１】
本発明は、無線通信システム、無線通信端末、無線通信基地局及び無線通信方法に関する。
【背景技術】
【０００２】
近年、様々な装置に無線ＬＡＮインターフェースが搭載されている。特に、ＰＣ、家電及び携帯端末等へのIEEE802.11の普及は著しい。IEEE802.11は、レイヤ２、特にＭＡＣレイヤ以下の無線ＬＡＮ技術について規定されたものである。非特許文献１には、IEEE802.11規格の無線ＬＡＮ技術が開示されている。ここで、IEEE802.11規格の無線ＬＡＮを用いた無線通信について説明する。アクセスポイント（IEEE802.11規格の無線ＬＡＮの無線通信基地局）と一又は複数のステーション（例えば携帯端末等）とが、IEEE802.11規格の無線ＬＡＮを用いた無線通信を行う場合を考える。ＰＳ（Power Save）モードに設定された少なくとも一台のステーションがアクセスポイント配下の全ステーションに含まれている場合に、アクセスポイントは、ブロードキャストパケット及びマルチキャストパケットを外部の通信網から受信すると、このブロードキャストパケット及びマルチキャストパケットをアクセスポイント内のメモリに一旦バッファリングすると共にこの旨を示すＤＴＩＭビーコン（DTIM：Delivery Traffic Indication Message）をステーションに送信し、このＤＴＩＭビーコンの送信周期でバッファリングしたブロードキャストパケット及びマルチキャストパケットを全ステーションに送信する。ＰＳモードは、無線ＬＡＮインターフェースがオン（Ａｗａｋｅ状態）・オフ（Ｄｏｚｅ状態）を周期的に交互に繰り返す通信動作であり、間欠受信モードと称する場合がある。
【０００３】
ステーションは、通信動作がＰＳモードに設定されているか否か、すなわち、通信動作が、ＰＳモードに設定されているか、或いは、Ａｃｔｉｖｅモード（無線ＬＡＮインターフェースが常にオンとなっている通信動作）に設定されているか、をアクセスポイントに通知する。ステーションは、通信動作がＰＳモードに設定されている場合、アクセスポイントに送信するパケット内のＭＡＣヘッダのフレーム制御フィールドに含まれるパワーマネージメントビットを“１”に設定し、通信動作がＰＳモードに設定されていない（すなわち、Ａｃｔｉｖｅモードに設定されている）場合、このパワーマネージメントビットを“０”に設定する。アクセスポイントは、このパケットを受信すると、このパケットを解析し、ＰＳモードに設定されたステーションの有無を判定する。
【非特許文献１】ANSI/IEEE Std 802.11, 1999 Edition (R2003) Information technology-Telecommunications and information exchange between systems - Local and metropolitanarea networks - Specific requirements - Part 11: Wireless LANMedium AccessControl (MAC) and Physical Layer (PHY) Specifications
【発明の開示】
【発明が解決しようとする課題】
【０００４】
アクセスポイントは、ＰＳモードに設定されたステーションが少なくとも一台あると判定すると、ブロードキャストパケット及びマルチキャストパケットをバッファリングすると共にこの旨を示すデータを設定したＤＴＩＭビーコンの送信周期でバッファリングしたブロードキャストパケット及びマルチキャストパケットを配下の全ステーションに送信する。この場合、アクセスポイント配下の全ステーションは、マルチキャストパケットをＤＴＩＭビーコンの送信周期でしか受信できないので、マルチキャストパケットがビデオストリーミングのようなリアルタイム系アプリケーションの場合、遅延ジッタ等の品質劣化が発生する。このようなリアルタイム系アプリケーションのマルチキャストパケットの品質劣化は、ステーションをＡｃｔｉｖｅモードで通信動作させれば回避できる。しかし、マルチキャストパケットを受信するステーションとマルチキャストパケットを受信しないステーションとがアクセスポイント配下に混在する場合には、マルチキャストパケットを受信する全ステーションをＡｃｔｉｖｅモードで動作させても、マルチキャストパケットを受信しないステーションがＰＳモードで動作すれば、マルチキャストパケットはアクセスポイントからＤＴＩＭビーコンの送信周期でしか送信されないので、マルチキャストパケットの品質劣化が生じる。
【０００５】
次に、上記のような問題を図１を参照して具体的に説明する。アクセスポイントＡＰ１ａと、ステーションの無線通信端末ＳＴＡ１ａ，ＳＴＡ２ａとがIEEE802.11規格の無線ＬＡＮを用いて通信接続している場合を想定する。無線通信端末ＳＴＡ１ａ，ＳＴＡ２ａは、Ａｃｔｉｖｅモードに設定されているとする。このときアクセスポイントＡＰ１ａは、無線通信端末ＳＴＡ１ａ，ＳＴＡ２ａがＡｃｔｉｖｅモードに設定されているので、マルチキャストパケットを任意のタイミングで送信できる。
【０００６】
ここで、マルチキャストパケットを受信しないＰＳモードの無線通信端末ＳＴＡ３ａ（ステーション）が、例えば時刻Ｔ１において、アクセスポイントＡＰ１ａに新規に通信接続した場合を考える。IEEE802.11規格の無線ＬＡＮにおいては、アクセスポイント配下の全ステーションのうち、ＰＳモードで通信動作するステーションが一台でもあれば、アクセスポイントは、ブロードキャストパケット及びマルチキャストパケットをアクセスポイントのメモリに一旦バッファリングし、ＤＴＩＭビーコンの送信周期でこのバッファリングしたブロードキャストパケット及びマルチキャストパケットを全ての無線通信端末（ステーション）に送信する。無線通信端末ＳＴＡ１ａ，ＳＴＡ２ａは、Ａｃｔｉｖｅモードに設定されているにも関わらず、時刻Ｔ１以降には、ＤＴＩＭビーコンの送信周期毎のパケット受信期間Ｔ２でしかマルチキャストパケットを受信できない。ＤＴＩＭビーコンの送信周期は一般に数百ｍｓに設定されるので、パケット送信に遅延が発生し、通信品質劣化が生じる。このように、マルチキャストサービスを受信しない無線通信端末ＳＴＡ３ａがＰＳモードで通信動作することによって、無線通信端末ＳＴＡ１ａ，ＳＴＡ２ａの受信すべきマルチキャストパケットの送信タイミングが制限されてしまう。本発明は、以上の点を鑑みてなされたものであり、送信遅延ジッタによるマルチキャストパケットの品質劣化を抑制することを目的とする。
【課題を解決するための手段】
【０００７】
本発明の無線通信システムは、仮想キャリアセンスによって無線帯域割り当てを行うパケット伝送方式に従った無線通信を行う無線通信基地局と一又は複数の無線通信端末とを備えた無線通信システムであって、前記無線通信端末は、マルチキャストパケットを受信するか否かを示すマルチキャスト受信情報を含むパケットを生成するマルチキャスト受信情報生成手段と、前記マルチキャスト受信情報生成手段によって生成され前記マルチキャスト受信情報を含むパケットを、前記無線通信基地局に送信するマルチキャスト受信情報送信手段と、前記無線通信を行うための通信動作が間欠受信モードに設定されているか否かを示す通信動作情報を含むパケットを生成する通信動作情報生成手段と、前記通信動作情報生成手段によって生成され前記通信動作情報を含むパケットを、前記無線通信基地局に送信する通信動作情報送信手段とを有し、前記無線通信基地局は、前記無線通信端末から送信されたパケットを受信する受信手段と、前記受信手段によって受信された前記パケットから、前記パケットを送信した前記無線通信端末を識別するための識別情報と、前記マルチキャスト受信情報及び前記通信動作情報とを抽出する抽出手段と、前記抽出手段によって抽出された前記識別情報、前記マルチキャスト受信情報及び前記通信動作情報を相互に関連付けたテーブル情報を生成し、このテーブル情報をメモリに格納するテーブル情報生成手段と、前記テーブル情報生成手段によって前記メモリに格納された前記テーブル情報に基づいて、前記無線通信端末に対するマルチキャストパケットの送信タイミングを制御する送信制御手段とを有する、ことを特徴とする。更に、前記抽出手段によって抽出された前記識別情報、前記マルチキャスト受信情報及び前記通信動作情報を相互に関連付けたテーブル情報を生成し、このテーブル情報をメモリに格納するテーブル情報生成手段を更に有し、前記送信制御手段は、前記テーブル情報生成手段によって前記メモリに格納された前記テーブル情報に基づいて、前記送信タイミングを制御するのが好ましい。
【０００８】
本発明の無線通信システムによれば、無線通信基地局は、無線通信端末毎に、間欠受信モードに設定されているか否かを示す通信動作情報とマルチキャストパケットを受信するか否か示すＭＣ受信情報とに基づいて、無線通信端末に対するマルチキャストパケットの送信タイミングを制御できる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【０００９】
本発明の無線通信システムにおいて、前記マルチキャスト受信情報は、マルチキャストパケットを受信するか否かを示す１ビット分の情報であるのが好ましい。従って、既存のパケット構成に１ビットのみのマルチキャスト受信情報を追加するだけで、マルチキャストパケットの受信の可否が、無線通信基地局に通知できる。
【００１０】
本発明の無線通信システムにおいて、前記マルチキャスト受信情報は、受信対象となっているマルチキャストパケットのマルチキャストアドレスの一部又は全部を示すのが好ましい。従って、マルチキャストアドレスの一部又は全部をマルチキャスト受信情報に用いるので、マルチキャストパケットの送信タイミングをマルチキャストアドレスに応じて設定できる。
【００１１】
本発明の無線通信システムにおいて、前記マルチキャスト受信情報生成手段は、前記マルチキャスト受信情報を含むアソシエーションリクエストパケットを生成するのが好ましい。従って、無線通信端末は、無線通信基地局とのアソシエーション時にマルチキャスト受信情報を無線通信基地局に通知できる。よって、マルチキャスト受信情報を通知するためだけのパケット送信を行う必要が無く、無線媒体の効率的な利用が可能となる。
【００１２】
本発明の無線通信システムにおいて、前記マルチキャスト受信情報生成手段は、前記マルチキャスト受信情報を含むデータパケット又は制御パケットを生成するのが好ましい。従って、無線通信端末は、無線通信基地局と通信中に送信されるデータパケットや制御パケットにマルチキャスト受信情報が設定されれば、マルチキャスト受信情報を無線通信基地局との通信中に通知できる。よって、マルチキャスト受信情報を通知するためだけのパケット送信を行う必要が無く、無線媒体の効率的な利用が可能となる。
【００１３】
本発明の無線通信システムにおいて、前記マルチキャスト受信情報生成手段は、前記マルチキャスト受信情報を含みマルチキャストパケットの受信要求を行うリクエストパケットを生成するのが好ましい。従って、マルチキャストパケットの受信要求時にマルチキャスト受信情報を無線通信基地局に通知できる。よって、マルチキャスト受信情報を通知するためだけのパケット送信を行う必要が無く、無線媒体の効率的な利用が可能となる。
【００１４】
本発明の無線通信システムにおいて、前記無線通信端末は、マルチキャストパケットの受信を開始する旨の設定入力がされた場合、前記通信動作が前記間欠受信モードに設定されていれば前記間欠受信モードを解除し、マルチキャストパケットの受信を終了する旨の設定入力がされた場合、前記通信動作を前記間欠受信モードに設定する設定解除手段を更に有するのが好ましい。従って、通信動作が間欠受信モードに設定されていても、マルチキャストパケットの受信時には間欠受信モードが解除されるので、無線通信基地局はマルチキャストパケットをバッファリングする必要がなくなる。よって、間欠受信モードを行うことによって省電力を実現しつつ、送信遅延ジッタによるマルチキャストパケットの品質劣化が抑制できる。
【００１５】
本発明の無線通信システムにおいて、外部通信網から送信されたマルチキャストパケットが前記無線通信基地局の前記受信手段によって受信されると、前記無線通信基地局の前記送信制御手段は、前記受信手段によって受信されたマルチキャストパケットを受信するように設定され且つ前記間欠受信モードに設定されている無線通信端末が少なくとも一つある場合、前記受信手段によって受信されたマルチキャストパケットを前記無線通信基地局のメモリにバッファリングし、ＤＴＩＭビーコンの送信周期で前記バッファリングされたマルチキャストパケットを送信するように前記送信タイミングを制御し、前記受信手段によって受信されたマルチキャストパケットを受信するように設定され且つ前記間欠受信モードに設定されている無線通信端末が無い場合、前記ＤＴＩＭビーコンを用いずに前記受信手段によって受信されたマルチキャストパケットを送信するように前記送信タイミングを制御するのが好ましい。従って、全ての無線通信端末が間欠受信モードに設定されていない場合には、バッファリングせずにマルチキャストパケットを送信するので送信遅延ジッタによるマルチキャストパケットの品質劣化が回避できる。また、間欠受信モードに設定されている無線通信端末が一台でもある場合には、バッファリングを行って間欠受信モードに対応させるので、マルチキャストパケットの確実な受信が担保できる。更に、このような処理は、無線通信基地局によって受信されたマルチキャストパケット毎に実行される。
【００１６】
本発明の無線通信端末は、仮想キャリアセンスによって無線帯域割り当てを行うパケット伝送方式に従った無線通信を無線通信基地局と行う無線通信端末であって、マルチキャストパケットを受信するか否かを示すマルチキャスト受信情報を含むパケットを生成するマルチキャスト受信情報生成手段と、前記マルチキャスト受信情報生成手段によって生成され前記マルチキャスト受信情報を含むパケットを、前記無線通信基地局に送信するマルチキャスト受信情報送信手段と、前記無線通信を行うための通信動作が間欠受信モードに設定されているか否かを示す通信動作情報を含むパケットを生成する通信動作情報生成手段と、前記通信動作情報生成手段によって生成され前記通信動作情報を含むパケットを、前記無線通信基地局に送信する通信動作情報送信手段とを備える、ことを特徴とする。
【００１７】
本発明の無線通信端末によれば、マルチキャストパケットを受信するか否かを示すマルチキャスト受信情報と、間欠受信モードに設定されているか否かを示す通信動作情報とが無線通信端末から無線通信基地局に通知される。無線通信基地局は、この無線通信端末から通知されたマルチキャスト受信情報及び通信動作情報を用いて、無線通信端末に対するマルチキャストパケットの送信タイミングを制御できる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【００１８】
本発明の無線通信基地局は、仮想キャリアセンスによって無線帯域割り当てを行うパケット伝送方式に従った無線通信を一又は複数の無線通信端末と行う無線通信基地局であって、前記無線通信端末から送信されたパケットを受信する受信手段と、前記受信手段によって受信された前記パケットから、前記パケットを送信した前記無線通信端末を識別するための識別情報と、前記識別情報の示す前記無線通信端末がマルチキャストパケットを受信するか否かを示すマルチキャスト受信情報と、前記識別情報の示す前記無線通信端末の前記無線通信を行うための通信動作が間欠受信モードに設定されているか否かを示す通信動作情報とを抽出する抽出手段と、前記抽出手段によって抽出された前記識別情報、前記マルチキャスト受信情報及び前記通信動作情報に基づいて、前記無線通信端末に対するマルチキャストパケットの送信タイミングを制御する送信制御手段とを備える、ことを特徴とする。
【００１９】
本発明の無線通信基地局によれば、無線通信端末毎に、間欠受信モードに設定されているか否かを示す通信動作情報とマルチキャストパケットを受信するか否か示すＭＣ受信情報とに基づいて、無線通信端末に対するマルチキャストパケットの送信タイミングの制御が可能となる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【００２０】
本発明の無線通信方法は、無線通信基地局と一又は複数の無線通信端末とが、仮想キャリアセンスによって無線帯域割り当てを行うパケット伝送方式に従って無線通信を行う無線通信方法であって、マルチキャストパケットを前記無線通信端末が受信するか否かを示すマルチキャスト受信情報と、前記無線通信を行うための前記無線通信端末の通信動作が間欠受信モードに設定されているか否かを示す通信動作情報とを、前記無線通信端末が前記無線通信基地局に送信する送信ステップと、前記送信ステップにおいて前記無線通信端末から前記無線通信基地局に送信されたパケットから、前記パケットを送信した前記無線通信端末を識別するための識別情報と、前記マルチキャスト受信情報及び前記通信動作情報とを前記無線通信基地局が抽出する抽出ステップと、前記抽出ステップにおいて抽出された前記識別情報、前記マルチキャスト受信情報及び前記通信動作情報に基づいて、前記無線通信基地局が前記無線通信端末に対するマルチキャストパケットの送信タイミングを制御する送信制御ステップとを備える、ことを特徴とする。
【００２１】
本発明の無線通信方法によれば、無線通信基地局は、無線通信基地局毎に、間欠受信モードに設定されているか否かを示す通信動作情報とマルチキャストパケットを受信するか否か示すＭＣ受信情報とに基づいて、無線通信端末に対するマルチキャストパケットの送信タイミングを制御できる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【００２２】
本発明の無線通信方法は、仮想キャリアセンスによって無線帯域割り当てを行うパケット伝送方式に従った無線通信を無線通信端末が無線通信基地局と行うための無線通信方法であって、マルチキャストパケットを前記無線通信端末が受信するか否かを示すマルチキャスト受信情報と、前記無線通信を行うための前記無線通信端末の通信動作が間欠受信モードに設定されているか否かを示す通信動作情報とを、前記無線通信端末が前記無線通信基地局に送信する送信ステップを備える、ことを特徴とする。
【００２３】
本発明の無線通信方法によれば、マルチキャストパケットを受信するか否かを示すマルチキャスト受信情報と、間欠受信モードに設定されているか否かを示す通信動作情報とが無線通信端末から無線通信基地局に通知される。無線通信基地局は、この無線通信端末から通知されたマルチキャスト受信情報及び通信動作情報を用いれば、無線通信端末に対するマルチキャストパケットの送信タイミングの制御が可能となる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【００２４】
本発明の無線通信方法は、仮想キャリアセンスによって無線帯域割り当てを行うパケット伝送方式に従った無線通信を無線通信基地局が一又は複数の無線通信端末と行うための無線通信方法であって、前記無線通信端末から前記無線通信基地局に送信されたパケットから、前記パケットを送信した前記無線通信端末を識別するための識別情報と、前記識別情報の示す前記無線通信端末がマルチキャストパケットを受信するか否かを示すマルチキャスト受信情報と、前記識別情報の示す前記無線通信端末の前記無線通信を行うための通信動作が間欠受信モードに設定されているか否かを示す通信動作情報とを前記無線通信基地局が抽出する抽出ステップと、前記抽出ステップにおいて抽出された前記識別情報、前記マルチキャスト受信情報及び前記通信動作情報に基づいて、前記無線通信基地局が前記無線通信端末に対するマルチキャストパケットの送信タイミングを制御する送信制御ステップとを備える、ことを特徴とする。
【００２５】
本発明の無線通信方法によれば、無線通信端末毎に、間欠受信モードに設定されているか否かを示す通信動作情報とマルチキャストパケットを受信するか否か示すＭＣ受信情報とに基づいて、無線通信端末に対するマルチキャストパケットの送信タイミングの制御が可能となる。このため、例えば、マルチキャストパケットを受信する無線通信端末が全て間欠受信モードに設定されていない場合に、マルチキャストパケットが直ちに送信可能となり、送信遅延ジッタによるマルチキャストパケットの品質劣化が抑制できる。
【発明の効果】
【００２６】
本発明によれば、送信遅延ジッタによるマルチキャストパケットの品質劣化が抑制できる。
【発明を実施するための最良の形態】
【００２７】
以下、図面を参照して、本発明に係る好適な実施形態について詳細に説明する。なお、図面の説明において、可能な場合には、同一要素には同一符号を付し、重複する説明を省略する。図２を参照して、実施形態に係る無線通信システム１００の構成を説明する。無線通信システム１００は、アクセスポイントＡＰ１（無線通信基地局）と、無線通信端末ＳＴＡ１，ＳＴＡ２，ＳＴＡ３，ＳＴＡ４，ＳＴＡ５（無線通信端末ＳＴＡ１〜ＳＴＡ５）とを備える。アクセスポイントＡＰ１と、無線通信端末ＳＴＡ１〜ＳＴＡ５とは、IEEE802.11規格の無線ＬＡＮを介してパケット等のデータの送受信を行う。IEEE802.11規格の無線ＬＡＮは、仮想キャリアセンスによって無線帯域割り当てを行うパケット伝送方式に従った無線通信である。アクセスポイントＡＰ１は、バックボーンネットワークＮＥ１に接続されており、バックボーンネットワークＮＥ１を介してコンテンツサーバＳＡ１からパケット等のデータを受信し、この受信したパケットを無線通信端末ＳＴＡ１〜ＳＴＡ５等に送信する。アクセスポイントＡＰ１は、コンテンツサーバＳＡ１から受信したパケットを、無線通信端末ＳＴＡ１〜ＳＴＡ５のそれぞれに対し、無線通信端末ＳＴＡ１〜ＳＴＡ５のそれぞれの通信動作情報（Ａｃｔｉｖｅモード又はＰＳモードの何れかを示す情報）やマルチキャスト受信情報（マルチキャストパケットを受信するか否かを示す情報であり、以下、マルチキャストをＭＣという場合がある）に応じた所定のタイミングで送信する。
【００２８】
無線通信端末ＳＴＡ１〜ＳＴＡ５は、パケットをアクセスポイントＡＰ１から受信できるように、アクセスポイントＡＰ１に登録可能な（登録されている）IEEE802.11のステーションである。無線通信端末ＳＴＡ１〜ＳＴＡ５は、通信動作がＰＳモードに設定されている場合、ＤＴＩＭビーコンの送信周期でアクセスポイントＡＰ１から送信されるパケットを間欠受信する。無線通信端末ＳＴＡ１〜ＳＴＡ５は、通信動作がＰＳモードモードに設定されていない場合（すなわち、Ａｃｔｉｖｅモードに設定されている場合）、間欠的ではない態様（通常の態様）でアクセスポイントＡＰ１から送信されるパケットを、間欠的ではない態様（通常の態様）で受信する。なお、図２に示す無線通信端末ＳＴＡ１〜ＳＴＡ５以外に、アクセスポイントＡＰ１に登録される無線通信端末があってもよい。
【００２９】
次に、図３及び図４を参照して、実施形態に係る無線通信端末ＳＴＡ１の構成を説明する。なお、他の無線通信端末ＳＴＡ２，ＳＴＡ３，ＳＴＡ４，ＳＴＡ５の構成は、無線通信端末ＳＴＡ１の構成と同様であるので、以下では、無線通信端末ＳＴＡ１の構成のみについて説明する。無線通信端末ＳＴＡ１は、図３に示すように、物理的には、ＣＰＵ１１、ＲＯＭ１２、ＲＡＭ１３、操作装置１４、無線通信装置１５、ディスプレイ１６及び記録装置１７を有しており、これらはバス１８に接続されている。ＣＰＵ１１は、ＲＯＭ１２等の内蔵メモリに格納された所定のコンピュータソフトウェア（無線通信端末ＳＴＡ１の行う処理を実行するためのコンピュータプログラム等を含む）をＲＡＭ１３にロードして実行することにより、無線通信端末ＳＴＡ１を統括的に制御する。操作装置１４は、キーボード等のデータ入力用のデバイスであり、入力されたデータをＣＰＵ１１に出力する。無線通信装置１５は、アクセスポイントＡＰ１と、IEEE802.11規格の無線ＬＡＮを介して無線通信を行うためのインターフェースを有する。ディスプレイ１６は、ＬＣＤ等の表示装置であり、ＣＰＵ１１から送られる表示用データを表示する。記録装置１７は、書き込み／読み出しが自在なメモリであり、アクセスポイントＡＰ１等から受信したパケットや、アクセスポイントＡＰ１に送信するパケット等のデータを格納する。
【００３０】
無線通信端末ＳＴＡ１は、図４に示すように、機能的には、パケット送信部２０１（マルチキャスト受信情報送信手段、通信動作情報送信手段）、パケット生成部２０２（マルチキャスト受信情報生成手段、通信動作情報生成手段）、ＭＣサービス情報管理部２０３、ＭＣ開始・終了管理部２０４、通信動作制御部２０５（設定解除手段）、パケットバッファ部２０６及びアソシエーションリクエスト情報管理部２０７を有する。これらのパケット送信部２０１〜アソシエーションリクエスト情報管理部２０７は、ＣＰＵ１１がＲＯＭ１２や記録装置１７等のメモリに格納された上記コンピュータソフトウェアを実行し、図３に示す無線通信端末ＳＴＡ１の各構成部を動作させることによって実現される機能である。ＣＰＵ１１は、上記コンピュータソフトウェアを実行することによって（特に、パケット送信部２０１〜アソシエーションリクエスト情報管理部２０７を用いて）、無線通信端末ＳＴＡ１の行う処理を実行する。
【００３１】
パケット送信部２０１は、パケット生成部２０２によって生成されＭＣ受信情報（マルチキャストパケットを受信するか否かを示す情報）を含むパケット（送信パケット）を、無線通信装置１５を用いてアクセスポイントＡＰ１に送信する。パケット送信部２０１は、パケット生成部２０２によって生成され通信動作情報（IEEE802.11規格の無線ＬＡＮの通信動作がＰＳモードに設定されているか否かを示す情報）を含むパケット（送信パケット）を、無線通信装置１５を用いてアクセスポイントＡＰ１に送信する。なお、パケット生成部２０２からパケット送信部２０１に送られる送信パケットは、ＭＣ受信情報、通信動作情報や、無線通信端末ＳＴＡ１を識別するための識別情報等を含む。
【００３２】
パケット生成部２０２は、ＭＣサービス情報管理部２０３及び通信動作制御部２０５からそれぞれ送られるＭＣ受信情報及び通信動作情報を受け、これらのＭＣ受信情報及び／又は通信動作情報と、無線通信端末ＳＴＡ１を識別するための識別情報とを含む送信パケットを生成し、この送信パケットをパケット送信部２０１に送る。パケット生成部２０２は、パケットバッファ部２０６から送られるパケットを用いてＭＣ受信情報及び／又は通信動作情報を含む送信パケット（データパケットや制御パケット）を生成し、この生成した送信パケットをパケット送信部２０１に送ってもよいし、アソシエーションリクエスト情報管理部２０７から送られるアソシエーションリクエスト情報を用いてＭＣ受信情報及び／又は通信動作情報を含む送信パケット（アソシエーションリクエストパケット）を生成し、この送信パケットをパケット送信部２０１に送ってもよい。また、パケット生成部２０２は、ＭＣ開始・終了管理部２０４から送られるＭＣ開始・終了情報を受けると、ＭＣ受信情報及び／又は通信動作情報を含みマルチキャストパケットの受信要求を行うための送信パケット（リクエストパケット）を生成し、この送信パケットをパケット送信部２０１に送ってもよい。
【００３３】
アソシエーションリクエストパケットは、無線通信端末ＳＴＡ１がアクセスポイントＡＰ１にIEEE802.11規格の無線ＬＡＮの通信接続を要求するために用いるパケットであり、アソシエーション時に無線通信端末ＳＴＡ１からアクセスポイントＡＰ１に送信される。データパケットや制御パケットは、無線通信端末ＳＴＡ１とアクセスポイントＡＰ１との間でIEEE802.11規格の無線ＬＡＮ通信が行われている際に（通信が確立されている状態において）、無線通信端末ＳＴＡ１からアクセスポイントＡＰ１に送信されるパケットである。リクエストパケットは、無線通信端末ＳＴＡ１がアクセスポイントＡＰ１にマルチキャストパケットの受信要求を行うアドミッションコントロール時に、無線通信端末ＳＴＡ１からアクセスポイントＡＰ１に送信されるパケットである。また、ＭＣ受信情報及び通信動作情報は、アソシエーションリクエストパケット、データパケット、制御パケット又はリクエストパケットのＦｒａｍｅ−Ｃｏｎｔｒｏｌフィールドに設定される。
【００３４】
なお、上記各パケットのＦｒａｍｅ−Ｃｏｎｔｒｏｌフィールドに設定されるＭＣ受信情報は、１ビット分の情報（例えば、マルチキャストパケットを受信する場合が“１”であり、マルチキャストパケットを受信しない場合が“０”である）であってもよいし、この１ビット分の情報に加えて（又は、この１ビット分の情報に替えて）、受信するマルチキャストパケットのＭＣアドレスの全部又は一部を示す情報であってもよい。
【００３５】
ＭＣサービス情報管理部２０３は、マルチキャストパケットを受信するか否かの指示が操作装置１４等を介して入力されると、この指示入力に応じてこの指示を反映したＭＣ受信情報（マルチキャストパケットを受信する旨の情報）を生成する。ＭＣサービス情報管理部２０３は、このＭＣ受信情報をＲＡＭ１３や記録装置１７等のメモリに格納すると共にパケット生成部２０２に送る。ＭＣサービス情報管理部２０３は、操作装置１４を介して入力された指示に応じて、ＲＡＭ１３や記録装置１７等のメモリに格納されたＭＣ受信情報の追加・更新・削除等を行う。無線通信端末ＳＴＡ１は、ＲＡＭ１３や記録装置１７等のメモリに格納されたＭＣ受信情報を参照して、アクセスポイントＡＰ１から送信されるパケットの受信制御を行う。
【００３６】
ＭＣ開始・終了管理部２０４は、マルチキャストパケットを受信するか否かの指示が操作装置１４等を介して入力されると、この指示入力に応じて、マルチキャストパケットの受信開始又は受信終了を示すＭＣ開始・終了情報を生成し、このＭＣ開始・終了情報を、パケット生成部２０２や通信動作制御部２０５に送る。
【００３７】
通信動作制御部２０５は、IEEE802.11規格の無線ＬＡＮの通信動作をＰＳモード又はＡｃｔｉｖｅモードの何れとするかの指示が操作装置１４等を介して入力されると、この指示入力に応じてこの指示を反映した通信動作情報を生成する。通信動作制御部２０５は、この通信動作情報をＲＡＭ１３や記録装置１７等のメモリに格納すると共にパケット生成部２０２に送る。通信動作制御部２０５は、操作装置１４に入力された指示に応じて、ＲＡＭ１３や記録装置１７等のメモリに格納された通信動作情報の更新を行う。無線通信端末ＳＴＡ１は、ＲＡＭ１３や記録装置１７等のメモリに格納された通信動作情報に基づいて通信動作を制御する。また、通信動作制御部２０５は、ＭＣ開始・終了管理部２０４からＭＣ開始・終了情報が送られると、このＭＣ開始・終了情報の内容に応じて通信動作をＰＳモード又はＡｃｔｉｖｅモードに切り替える。例えば、通信動作制御部２０５は、通信動作がＰＳモードに設定されている場合に、マルチキャストパケットの受信開始を示すＭＣ開始・終了情報をＭＣ開始・終了管理部２０４から受けると、通信動作をＰＳモードからＡｃｔｉｖｅモードに切り替え、この後（通信動作がＡｃｔｉｖｅモードに設定されている場合）に、マルチキャストパケットの受信終了を示すＭＣ開始・終了情報をＭＣ開始・終了管理部２０４から受けると、通信動作をＡｃｔｉｖｅモードからＰＳモードに切り替える。
【００３８】
パケットバッファ部２０６は、無線通信装置１５を介してアクセスポイントＡＰ１等から受信したパケット等のデータをＲＡＭ１３や記録装置１７等のメモリにバッファリングする。また、パケットバッファ部２０６は、操作装置１４から入力された指示等に応じて、ＲＯＭ１２、ＲＡＭ１３又は記録装置１７等のメモリに格納されたパケット（データパケットや制御パケット等）を読み出し、この読み出したパケットをパケット生成部２０２に送る。アソシエーションリクエスト情報管理部２０７は、操作装置１４から入力された指示等に応じて、ＲＯＭ１２、ＲＡＭ１３又は記録装置１７等のメモリに格納されたアソシエーションリクエスト情報を読み出し、この読み出したアソシエーションリクエスト情報をパケット生成部２０２に送る。
【００３９】
次に、図５及び図６を参照して、実施形態に係るアクセスポイントＡＰ１の構成を説明する。アクセスポイントＡＰ１は、図５に示すように、物理的には、ＣＰＵ２１、ＲＯＭ２２、ＲＡＭ２３、無線通信装置２４及び記録装置２５を有しており、これらはバス２６に接続されている。ＣＰＵ２１は、ＲＯＭ２２等の内蔵メモリに格納された所定のコンピュータソフトウェア（アクセスポイントＡＰ１の行う処理を実行するためのコンピュータプログラム等を含む）をＲＡＭ２３にロードして実行することにより、アクセスポイントＡＰ１を統括的に制御する。無線通信装置２４は、無線通信端末ＳＴＡ１〜ＳＴＡ５等のステーションと、IEEE802.11規格の無線ＬＡＮによる無線通信を行うためのインターフェースや、バックボーンネットワークＮＥ１を介してコンテンツサーバＳＡ１と通信を行うためのインターフェース等を有する。記録装置２５は、書き込み／読み出しが自在なメモリであり、無線通信装置２４によってコンテンツサーバＳＡ１から受信されたパケット等や図７に示すようなＳＴＡテーブル１９等の各種データを格納する。
【００４０】
アクセスポイントＡＰ１は、図６に示すように、機能的には、パケット受信部３０１（受信手段）、受信パケット解析部３０２（抽出手段）、ＳＴＡテーブル管理部３０３（テーブル情報生成手段）、パケット送信タイミング制御部３０４（送信制御手段）、パケットバッファ部３０５及びパケット送信部３０６を有する。これらのパケット受信部３０１〜パケット送信部３０６は、ＣＰＵ２１がＲＯＭ２２や記録装置２５等のメモリに格納された上記コンピュータソフトウェアを実行し、図５に示すアクセスポイントＡＰ１の各構成部を動作させることによって実現される機能である。ＣＰＵ２１は、上記コンピュータソフトウェアを実行することによって（特に、パケット受信部３０１〜パケット送信部３０６を用いて）、アクセスポイントＡＰ１の行う処理を実行する。
【００４１】
パケット受信部３０１は、バックボーンネットワークＮＥ１を介してコンテンツサーバＳＡ１等から送信されるパケットや、無線通信端末ＳＴＡ１〜ＳＴＡ５等の無線通信端末ＳＴＡから送信されるパケット等のデータを、無線通信装置２４を用いて受信する。受信パケット解析部３０２は、パケット受信部３０１によって受信された上記の各パケット（受信パケット）を解析する。受信パケット解析部３０２は、受信パケットが、無線通信端末ＳＴＡ１〜ＳＴＡ５等の無線通信端末ＳＴＡからのパケットであるか、或いは、バックボーンネットワークＮＥ１を介してコンテンツサーバＳＡ１等から送信されたパケットであるか、を判定する。受信パケット解析部３０２は、受信パケットが無線通信端末ＳＴＡ１〜ＳＴＡ５等の無線通信端末ＳＴＡからのパケットであると判定すると、この受信パケットから、ＭＣ受信情報、通信動作情報及び識別情報を抽出し、この抽出したＭＣ受信情報、通信動作情報及び識別情報をＳＴＡテーブル管理部３０３に送る。受信パケット解析部３０２は、受信パケットがバックボーンネットワークＮＥ１を介してコンテンツサーバＳＡ１等から送信されたパケットであると判定すると、この受信パケットが、マルチキャストパケットであるか否かを判定する。なお、受信パケット解析部３０２は、受信パケットがマルチキャストパケットと判定した場合、このマルチキャストパケットのＭＣアドレスを受信パケットから抽出する。
【００４２】
ＳＴＡテーブル管理部３０３は、受信パケット解析部３０２から送られたＭＣ受信情報、通信動作情報及び識別情報を受けると、このＭＣ受信情報、通信動作情報及び識別情報を用いてＳＴＡテーブル１９の内容（図７に示すＳＴＡテーブル１９の一例を参照）を更新する。ＳＴＡテーブル１９は、ＲＡＭ２３や記録装置２５等の内蔵メモリに格納されている。
【００４３】
パケット送信タイミング制御部３０４は、受信パケットがマルチキャストパケットであると受信パケット解析部３０２によって判定された場合、ＳＴＡテーブル１９の内容（図７に示す識別情報１９ａ、通信動作情報１９ｂ及びＭＣ受信情報１９ｃの内容）に基づいて（又は、マルチキャストパケットのＭＣアドレスとＳＴＡテーブル１９の内容とに基づいて）、受信パケットの送信タイミング（すなわち、直ちに送信する送信タイミング、又は、ＲＡＭ２３や記録装置２５等の内蔵メモリにバッファリングし、ＤＴＩＭビーコンの送信周期でこのバッファリングした受信パケットを送信する送信タイミングの何れか）を示す送信タイミング情報（受信パケットの送信タイミングを制御するための情報）を生成し、この送信タイミング情報をパケットバッファ部３０５に送る。
【００４４】
より詳細に説明すると、パケット送信タイミング制御部３０４は、受信パケットを受信するように設定され且つＰＳモードに設定された無線通信端末ＳＴＡの識別情報がＳＴＡテーブル１９に少なくとも一つ設定されていると判定した場合に、アクセスポイントＡＰ１によって受信されたマルチキャストパケットをアクセスポイントＡＰ１の内蔵メモリにバッファリングすると共に受信パケットがバッファリングされている旨を示すデータを含むＤＴＩＭビーコンを送信してこのバッファリングされたマルチキャストパケットをＤＴＩＭビーコンの送信周期で送信する旨の送信タイミング情報を生成する。また、パケット送信タイミング制御部３０４は、この受信パケットを受信するように設定され且つＰＳモードに設定された無線通信端末ＳＴＡの識別情報がＳＴＡテーブル１９に設定されていないと判定した場合に、ＤＴＩＭビーコンを送信せずにこの受信パケットを送信する旨の送信タイミング情報を生成する。
【００４５】
具体的に説明すると、パケット送信タイミング制御部３０４は、受信パケットがマルチキャストパケットの場合に、マルチキャストパケットを受信する旨（及び／又は、このマルチキャストパケットのＭＣアドレス）がＭＣ受信情報１９ｃに設定され且つＰＳモードが通信動作情報１９ｂに設定されている無線通信端末ＳＴＡの識別情報を、識別情報１９ａから特定する。パケット送信タイミング制御部３０４は、このような識別情報を識別情報１９ａから特定できた場合、受信パケット（マルチキャストパケット）をバッファリングしＤＴＩＭビーコンの送信周期でこのバッファリングした受信パケットを送信する旨の送信タイミング情報を生成し、この生成した送信タイミング情報をパケットバッファ部３０５に送る。また、パケット送信タイミング制御部３０４は、受信パケットがマルチキャストパケットの場合に、マルチキャストパケットを受信する旨（及び／又は、このマルチキャストパケットのＭＣアドレス）がＭＣ受信情報１９ｃに設定され且つＰＳモードが通信動作情報１９ｂに設定されている無線通信端末ＳＴＡの識別情報を識別情報１９ａから特定できなかった場合、受信パケット（マルチキャストパケット）をバッファリングせずに直ちに送信する旨の送信タイミング情報を生成し、この生成した送信タイミング情報をパケットバッファ部３０５に送る。
【００４６】
パケットバッファ部３０５は、パケット送信タイミング制御部３０４から送られた送信タイミング情報に基づいて、受信パケット（マルチキャストパケット）の送信処理を行う。具体的に説明すると、パケットバッファ部３０５は、受信パケット（マルチキャストパケット）をバッファリングしＤＴＩＭビーコンの送信周期でこのバッファリングした受信パケットを送信する旨の送信タイミング情報をパケット送信タイミング制御部３０４から受けた場合、まず、受信パケット（マルチキャストパケット）をＲＡＭ２３や記録装置２５等の内蔵メモリにバッファリングする。そして、この場合、受信パケット（マルチキャストパケット）をバッファリングした旨のデータを設定したＤＴＩＭビーコンを生成し、この生成したＤＴＩＭビーコンを送信パケットとしてパケット送信部３０６に送り、このＤＴＩＭビーコンの送信後に、バッファリングした受信パケット（マルチキャストパケット）を送信パケットとしてパケット送信部３０６に送る。また、パケットバッファ部３０５は、受信パケット（マルチキャストパケット）をバッファリングせずに直ちに送信する旨の送信タイミング情報をパケット送信タイミング制御部３０４から受けた場合、受信パケット（マルチキャストパケット）をバッファリングせずに送信パケットとしてパケット送信部３０６に送る。パケット送信部３０６は、パケットバッファ部３０５から送られた送信パケットを、無線通信装置２４を用いて送信する。
【００４７】
次に、図７及び図８を参照して、実施形態に係る無線通信システム１００の動作を説明する。図７に、ＳＴＡテーブルの一例を示し、図８に、無線通信システム１００の動作を説明するためのタイミングチャートを示す。まず、図７に示すＳＴＡテーブル１９を説明する。ＳＴＡテーブル１９は、識別情報１９ａ、通信動作情報１９ｂ及びＭＣ受信情報１９ｃを含む。図７に示すＳＴＡテーブル１９の識別情報１９ａには、無線通信端末ＳＴＡ１〜ＳＴＡ５が登録されている。無線通信端末ＳＴＡ１に対応する通信動作情報１９ｂにはＡｃｔｉｖｅモードが設定され、無線通信端末ＳＴＡ１に対応するＭＣ受信情報１９ｃにはマルチキャストパケットを受信する旨と、受信するマルチキャストパケットのＭＣアドレス（ｘｘ：ｘｘ：０１）とが設定されている。無線通信端末ＳＴＡ２に対応する通信動作情報１９ｂにはＡｃｔｉｖｅモードが設定され、無線通信端末ＳＴＡ２に対応するＭＣ受信情報１９ｃにはマルチキャストパケットを受信する旨と、受信するマルチキャストパケットのＭＣアドレス（ｘｘ：ｘｘ：０１）とが設定されている。
【００４８】
無線通信端末ＳＴＡ３に対応する通信動作情報１９ｂにはＰＳモードが設定され、無線通信端末ＳＴＡ３に対応するＭＣ受信情報１９ｃにはマルチキャストパケットを受信しない旨が設定されている。無線通信端末ＳＴＡ４に対応する通信動作情報１９ｂにはＰＳモードが設定され、無線通信端末ＳＴＡ４に対応するＭＣ受信情報１９ｃにはマルチキャストパケットを受信する旨と、受信するマルチキャストパケットのＭＣアドレス（ｘｘ：ｘｘ：０２）とが設定されている。無線通信端末ＳＴＡ５に対応する通信動作情報１９ｂにはＡｃｔｉｖｅモードが設定され、無線通信端末ＳＴＡ５に対応するＭＣ受信情報１９ｃにはマルチキャストパケットを受信する旨と、受信するマルチキャストパケットのＭＣアドレス（ｘｘ：ｘｘ：０２）とが設定されている。
【００４９】
次に、図８に示すタイミングチャートを用いて、無線通信システム１００の動作を説明する。図８に示すタイミングチャートには、図７に示すＳＴＡテーブル１９を用いた無線通信システム１００の動作の一例が示されている。図７に示すＳＴＡテーブル１９がアクセスポイントＡＰ１のＲＡＭ２３や記録装置２５等の内蔵メモリに格納されているものとする。はじめに、期間Ｔ３における無線通信システム１００の動作を説明する。まず、アクセスポイントＡＰ１は、ブロードキャストパケットＰ５と、ＭＣアドレス（ｘｘ：ｘｘ：０２）のマルチキャストパケットＰ４とを、バックボーンネットワークＮＥ１を介してコンテンツサーバＳＡ１から受信する。アクセスポイントＡＰ１は、ブロードキャストパケットＰ５を受信したので、ＳＴＡテーブル１９を参照し、ＳＴＡテーブル１９に登録されＰＳモードに設定された無線通信端末ＳＴＡを特定する。ＰＳモードに設定された無線通信端末ＳＴＡに無線通信端末ＳＴＡ３，ＳＴＡ４がアクセスポイントＡＰ１によって特定されるので、ブロードキャストパケットＰ５は、アクセスポイントＡＰ１によってＲＡＭ２３や記録装置２５等のアクセスポイントＡＰ１の内蔵メモリにバッファリングされる。アクセスポイントＡＰ１は、更に、マルチキャストパケットＰ４を受信したので、ＳＴＡテーブル１９を参照し、マルチキャストパケットＰ４を受信するように設定された無線通信端末ＳＴＡを特定し、この特定した無線通信端末ＳＴＡのうちＰＳモードに設定されたものがあるか否かを判定する。マルチキャストパケットＰ４を受信するように設定された無線通信端末ＳＴＡに無線通信端末ＳＴＡ４，ＳＴＡ５がアクセスポイントＡＰ１によって特定され、更に、この特定された無線通信端末ＳＴＡ４，ＳＴＡ５のうち無線通信端末ＳＴＡ４がＰＳモードに設定されているとアクセスポイントＡＰ１によって判定されるので、マルチキャストパケットＰ４は、アクセスポイントＡＰ１によってＲＡＭ２３や記録装置２５等のアクセスポイントＡＰ１の内蔵メモリにバッファリングされる。そして、アクセスポイントＡＰ１は、ブロードキャストパケットＰ５及びマルチキャストパケットＰ４をバッファリングしている旨のデータの設定されたＤＴＩＭビーコンＰ１ａを生成し、このＤＴＩＭビーコンＰ１ａを無線通信端末ＳＴＡ１〜ＳＴＡ５に送信する。
【００５０】
無線通信端末ＳＴＡ１，ＳＴＡ２，ＳＴＡ５は、Ａｃｔｉｖｅモードに設定されているので常時Ａｗａｋｅ状態となっているが、無線通信端末ＳＴＡ３，ＳＴＡ４は、ＰＳモードに設定されているのでＤＴＩＭビーコンＰ１ａの送信前にＡｗａｋｅ状態となる。そして、Ａｗａｋｅ状態の無線通信端末ＳＴＡ１〜ＳＴＡ５は、ＤＴＩＭビーコンＰ１ａ及びブロードキャストパケットＰ５をアクセスポイントＡＰ１から受信する。無線通信端末ＳＴＡ１，ＳＴＡ２は、Ａｃｔｉｖｅモードに設定されているので、ＤＴＩＭビーコンＰ１ａ及びブロードキャストパケットＰ５の受信が完了してもＡｗａｋｅ状態を維持する。また、無線通信端末ＳＴＡ１，ＳＴＡ２は、マルチキャストパケットＰ４を受信するように設定されていないので、マルチキャストパケットＰ４を受信しない。無線通信端末ＳＴＡ３は、ＰＳモードに設定されているがマルチキャストパケットＰ４を受信するように設定されていないので、ＤＴＩＭビーコンＰ１ａ及びブロードキャストパケットＰ５の受信が完了するまでの期間Ｔ３１だけＡｗａｋｅ状態となり、ＤＴＩＭビーコンＰ１ａ及びブロードキャストパケットＰ５の受信が完了するとＤｏｚｅ状態に遷移する。無線通信端末ＳＴＡ４は、ＰＳモードに設定され且つマルチキャストパケットＰ４を受信するように設定されているので、ＤＴＩＭビーコンＰ１ａ、ブロードキャストパケットＰ５及びマルチキャストパケットＰ４の受信が完了するまでの期間Ｔ３２だけＡｗａｋｅ状態となり、ＤＴＩＭビーコンＰ１ａ、ブロードキャストパケットＰ５及びマルチキャストパケットＰ４の受信が完了するとＤｏｚｅ状態に遷移する。無線通信端末ＳＴＡ５は、マルチキャストパケットＰ４を受信するように設定されているので、ＤＴＩＭビーコンＰ１ａ、ブロードキャストパケットＰ５及びマルチキャストパケットＰ４を受信する。無線通信端末ＳＴＡ５は、また、Ａｃｔｉｖｅモードに設定されているので、ＤＴＩＭビーコンＰ１ａ、ブロードキャストパケットＰ５及びマルチキャストパケットＰ４の受信が完了してもＡｗａｋｅ状態を維持する。
【００５１】
次に、期間Ｔ３後の期間Ｔ４における無線通信システム１００の動作を説明する。まず、アクセスポイントＡＰ１は、ＭＣアドレス（ｘｘ：ｘｘ：０１）のマルチキャストパケットＰ３を、バックボーンネットワークＮＥ１を介してコンテンツサーバＳＡ１から受信する。アクセスポイントＡＰ１は、マルチキャストパケットＰ３を受信したので、ＳＴＡテーブル１９を参照し、マルチキャストパケットＰ３を受信するように設定された無線通信端末ＳＴＡを特定し、この特定した無線通信端末ＳＴＡのうちＰＳモードに設定されたものがあるか否かを判定する。マルチキャストパケットＰ３を受信するように設定された無線通信端末ＳＴＡに無線通信端末ＳＴＡ１，ＳＴＡ２がアクセスポイントＡＰ１によって特定され、更に、この特定された無線通信端末ＳＴＡ１，ＳＴＡ２はＰＳモードに設定されていない（Ａｃｔｉｖｅモードに設定されている）とアクセスポイントＡＰ１によって判定されるので、マルチキャストパケットＰ３は、アクセスポイントＡＰ１によってバッファリングされずに直ちに送信される。
【００５２】
無線通信端末ＳＴＡ１，ＳＴＡ２は、Ａｃｔｉｖｅモードに設定されているので、通信動作の切り替えを行わずにマルチキャストパケットＰ３を受信する。無線通信端末ＳＴＡ３，ＳＴＡ４は、ＰＳモードに設定されているが、マルチキャストパケットＰ３を受信するように設定されていないので、マルチキャストパケットＰ３を受信するためにＤｏｚｅ状態からＡｗａｋｅ状態に遷移することはない。無線通信端末ＳＴＡ５は、Ａｃｔｉｖｅモードに設定されているが、マルチキャストパケットＰ３を受信するように設定されていないので、Ａｗａｋｅ状態であってもマルチキャストパケットＰ３を受信することはない。
【００５３】
次に、期間Ｔ４後の期間Ｔ５における無線通信システム１００の動作を説明する。アクセスポイントＡＰ１は、ＭＣアドレス（ｘｘ：ｘｘ：０２）のマルチキャストパケットＰ４を、バックボーンネットワークＮＥ１を介してコンテンツサーバＳＡ１から受信する。アクセスポイントＡＰ１は、マルチキャストパケットＰ４を受信したので、ＳＴＡテーブル１９を参照し、マルチキャストパケットＰ４を受信するように設定された無線通信端末ＳＴＡを特定し、この特定した無線通信端末ＳＴＡのうちＰＳモードに設定されたものがあるか否かを判定する。マルチキャストパケットＰ４を受信するように設定された無線通信端末ＳＴＡに無線通信端末ＳＴＡ４，ＳＴＡ５がアクセスポイントＡＰ１によって特定され、更に、この特定された無線通信端末ＳＴＡ４，ＳＴＡ５のうち無線通信端末ＳＴＡ４がＰＳモードに設定されているとアクセスポイントＡＰ１によって判定されるので、マルチキャストパケットＰ４は、アクセスポイントＡＰ１によってＲＡＭ２３や記録装置２５等のアクセスポイントＡＰ１の内蔵メモリにバッファリングされる。そして、アクセスポイントＡＰ１は、マルチキャストパケットＰ４をバッファリングしている旨のデータの設定されたＤＴＩＭビーコンＰ１ｂを生成し、このＤＴＩＭビーコンＰ１ｂを無線通信端末ＳＴＡ１〜ＳＴＡ５に送信する。
【００５４】
無線通信端末ＳＴＡ１，ＳＴＡ２，ＳＴＡ５は、Ａｃｔｉｖｅモードに設定されているので常時Ａｗａｋｅ状態となっているが、無線通信端末ＳＴＡ３，ＳＴＡ４は、ＰＳモードに設定されているのでＤＴＩＭビーコンＰ１ｂの送信前にＡｗａｋｅ状態となる。そして、Ａｗａｋｅ状態の無線通信端末ＳＴＡ１〜ＳＴＡ５は、ＤＴＩＭビーコンＰ１ｂをアクセスポイントＡＰ１から受信する。無線通信端末ＳＴＡ１，ＳＴＡ２は、Ａｃｔｉｖｅモードに設定されているので、ＤＴＩＭビーコンＰ１ｂの受信が完了してもＡｗａｋｅ状態を維持する。また、無線通信端末ＳＴＡ１，ＳＴＡ２は、マルチキャストパケットＰ４を受信するように設定されていないので、マルチキャストパケットＰ４を受信しない。無線通信端末ＳＴＡ３は、ＰＳモードに設定されているがマルチキャストパケットＰ４を受信するように設定されていないので、ＤＴＩＭビーコンＰ１ｂの受信が完了するまでの期間Ｔ５１だけＡｗａｋｅ状態となり、ＤＴＩＭビーコンＰ１ｂの受信が完了するとＤｏｚｅ状態に遷移する。無線通信端末ＳＴＡ４は、ＰＳモードに設定され且つマルチキャストパケットＰ４を受信するように設定されているので、ＤＴＩＭビーコンＰ１ｂ及びマルチキャストパケットＰ４の受信が完了するまでの期間Ｔ５２だけＡｗａｋｅ状態となり、ＤＴＩＭビーコンＰ１ｂ及びマルチキャストパケットＰ４の受信が完了するとＤｏｚｅ状態に遷移する。無線通信端末ＳＴＡ５は、マルチキャストパケットＰ４を受信するように設定されているので、ＤＴＩＭビーコンＰ１ｂ及びマルチキャストパケットＰ４を受信する。無線通信端末ＳＴＡ５は、また、Ａｃｔｉｖｅモードに設定されているので、ＤＴＩＭビーコンＰ１ｂ及びマルチキャストパケットＰ４の受信が完了してもＡｗａｋｅ状態を維持する。
【００５５】
なお、期間Ｔ５後の期間Ｔ６における無線通信システム１００の動作は、期間Ｔ４における無線通信システム１００の動作と同様であり、期間Ｔ６後の期間Ｔ７における無線通信システム１００の動作は、期間Ｔ５における無線通信システム１００の動作と同様であり（ＤＴＩＭビーコンＰ１ｃはＤＴＩＭビーコンＰ１ｂに対応し、期間Ｔ７１は期間Ｔ５１に対応し、期間Ｔ７２は期間Ｔ５２に対応している）、期間Ｔ７後の期間Ｔ８における無線通信システム１００の動作は、期間Ｔ４における無線通信システム１００の動作と同様である。
【００５６】
次に、実施形態に係る無線通信システム１００の作用・効果を説明する。無線通信システム１００は、仮想キャリアセンスによって無線帯域割り当てを行うパケット伝送方式に従った無線通信（IEEE802.11規格の無線ＬＡＮ通信）を行うアクセスポイントＡＰ１と無線通信端末ＳＴＡ１〜ＳＴＡ５等の一又は複数の無線通信端末ＳＴＡとを備えた無線通信システムである。無線通信端末ＳＴＡ１〜ＳＴＡ５は、何れも、パケット送信部２０１及びパケット生成部２０２を有する。パケット生成部２０２は、マルチキャストパケットを受信するか否かを示すＭＣ受信情報を含むパケットを生成する。パケット送信部２０１は、パケット生成部２０２によって生成されたＭＣ受信情報を含むパケットをアクセスポイントＡＰ１に送信する。パケット生成部２０２は、上記無線通信を行うための通信動作がＰＳモードに設定されているか否かを示す通信動作情報を含むパケットを生成する。パケット送信部２０１は、パケット生成部２０２によって生成された通信動作情報を含むパケットをアクセスポイントＡＰ１に送信する。アクセスポイントＡＰ１は、パケット受信部３０１、受信パケット解析部３０２、ＳＴＡテーブル管理部３０３及びパケット送信タイミング制御部３０４を有する。パケット受信部３０１は、無線通信端末ＳＴＡ１〜ＳＴＡ５等の無線通信端末ＳＴＡから送信されたパケットを受信する。受信パケット解析部３０２は、パケット受信部３０１によって受信されたパケットから、このパケットを送信した無線通信端末ＳＴＡを識別するための識別情報と、ＭＣ受信情報及び通信動作情報とを抽出する。ＳＴＡテーブル管理部３０３は、受信パケット解析部３０２によって抽出された識別情報、ＭＣ受信情報及び通信動作情報を相互に関連付けたＳＴＡテーブル１９を生成し、このＳＴＡテーブル１９をＲＡＭ２３や記録装置２５等のアクセスポイントＡＰ１の内蔵メモリに格納する。パケット送信タイミング制御部３０４は、受信パケット解析部３０２によって抽出された識別情報、ＭＣ受信情報及び通信動作情報に基づいて、無線通信端末ＳＴＡ１〜ＳＴＡ５等の無線通信端末ＳＴＡに対するマルチキャストパケットの送信タイミングを制御する（第１の態様）。更に、アクセスポイントＡＰ１は、受信パケット解析部３０２によって抽出された識別情報、ＭＣ受信情報及び通信動作情報を相互に関連付けたＳＴＡテーブル１９を生成し、このＳＴＡテーブル１９をＲＡＭ２３や記録装置２５等のアクセスポイントＡＰ１の内蔵メモリに格納するＳＴＡテーブル管理部３０３を更に有し、パケット送信タイミング制御部３０４は、ＳＴＡテーブル管理部３０３によって上記内蔵メモリに格納されたＳＴＡテーブル１９に基づいて、無線通信端末ＳＴＡ１〜ＳＴＡ５等の無線通信端末ＳＴＡに対するマルチパケットの送信タイミングを制御するのが好ましい。
【００５７】
上記第１の態様の無線通信システム１００によれば、アクセスポイントＡＰ１は、ＰＳモードに設定されているか否かを無線通信端末ＳＴＡ毎に示すと共にマルチキャストパケットを受信するか否かを無線通信端末ＳＴＡ毎に示すＳＴＡテーブル１９を用いて、無線通信端末ＳＴＡに対するマルチキャストパケットの送信タイミングを制御できる。このため、例えば、マルチキャストパケットを受信する無線通信端末ＳＴＡが全てＰＳモードに設定されていない場合（全無線通信端末ＳＴＡがＡｃｔｉｖｅモードに設定されている場合）に、マルチキャストパケットが直ちに送信可能となり、送信遅延ジッタによるマルチキャストパケットの品質劣化が抑制できる。
【００５８】
上記第１の態様の無線通信システム１００において、ＭＣ受信情報は、マルチキャストパケットを受信するか否かを示す１ビット分の情報であってもよい（第２の態様）。この場合、既存のパケット構成に１ビットのみのＭＣ受信情報を追加するだけで、マルチキャストパケットの受信の可否が、アクセスポイントＡＰ１に通知できる。
【００５９】
上記第１の態様の無線通信システム１００において、ＭＣ受信情報は、受信対象となっているマルチキャストパケットのマルチキャストアドレスの一部又は全部を示すものであってもよい（第３の態様）。この場合、マルチキャストアドレスの一部又は全部をＭＣ受信情報に用いるので、マルチキャストパケットの送信タイミングをマルチキャストアドレスに応じて設定できる。
【００６０】
上記第１〜第３の態様の何れか一の態様の無線通信システム１００において、パケット生成部２０２は、ＭＣ受信情報を含むアソシエーションリクエストパケットを生成してもよい（第４の態様）。この場合、無線通信端末ＳＴＡは、アクセスポイントＡＰ１とのアソシエーション時にＭＣ受信情報をアクセスポイントＡＰ１に通知できる。よって、ＭＣ受信情報を通知するためだけのパケット送信を行う必要が無く、無線媒体の効率的な利用が可能となる。
【００６１】
上記第１〜第３の態様の何れか一の態様の無線通信システム１００において、パケット生成部２０２は、ＭＣ受信情報を含むデータパケット又は制御パケットを生成してもよい（第５の態様）。この場合、無線通信端末ＳＴＡは、アクセスポイントＡＰ１と通信中に送信されるデータパケットや制御パケットにＭＣ受信情報が設定されれば、ＭＣ受信情報をアクセスポイントＡＰ１との通信中に通知できる。よって、ＭＣ受信情報を通知するためだけのパケット送信を行う必要が無く、無線媒体の効率的な利用が可能となる。
【００６２】
上記第１〜第３の態様の何れか一の態様の無線通信システム１００において、パケット生成部２０２は、ＭＣ受信情報を含みマルチキャストパケットの受信要求を行うリクエストパケットを生成してもよい（第６の態様）。この場合、マルチキャストパケットの受信要求時にＭＣ受信情報をアクセスポイントＡＰ１に通知できる。よって、ＭＣ受信情報を通知するためだけのパケット送信を行う必要が無く、無線媒体の効率的な利用が可能となる。
【００６３】
上記第１〜第６の態様の何れか一の態様の無線通信システム１００の無線通信端末ＳＴＡ１〜ＳＴＡ５等の無線通信端末ＳＴＡは、何れも、通信動作制御部２０５を更に有してもよい。この通信動作制御部２０５は、マルチキャストパケットの受信を開始する旨の設定入力がされた場合、通信動作がＰＳモードに設定されていればＰＳモードを解除し、そして、このＰＳモードの解除後にマルチキャストパケットの受信を終了する旨の設定入力がされた場合、通信動作をＰＳモードに設定するものである（第７の態様）。従って、通信動作がＰＳモードに設定されていても、マルチキャストパケットの受信時にはＰＳモードが解除されるので、アクセスポイントＡＰ１はマルチキャストパケットをバッファリングする必要がなくなる。よって、ＰＳモードを行うことによって省電力を実現しつつ、送信遅延ジッタによるマルチキャストパケットの品質劣化が抑制できる。
【００６４】
上記第１〜第６の態様の何れか一の態様の無線通信システム１００において、バックボーンネットワークＮＥ１を介してコンテンツサーバＳＡ１から送信されたマルチキャストパケットがアクセスポイントＡＰ１のパケット受信部３０１によって受信されると、アクセスポイントＡＰ１のパケット送信タイミング制御部３０４は、このパケット受信部３０１によって受信されたマルチキャストパケットを受信するように設定され且つＰＳモードに設定された無線通信端末ＳＴＡの識別情報がＳＴＡテーブル１９に少なくとも一つ設定されていると判定した場合に、アクセスポイントＡＰ１によって受信されたマルチキャストパケットをアクセスポイントＡＰ１の内蔵メモリにバッファリングすると共にパケット受信部３０１によって受信されたマルチキャストパケットがバッファリングされている旨を示すデータを含むＤＴＩＭビーコンを送信してこのバッファリングされたマルチキャストパケットをＤＴＩＭビーコンの送信周期で送信する旨の送信タイミング情報を生成するものであってもよいし、また、パケット送信タイミング制御部３０４は、パケット受信部３０１によって受信されたマルチキャストパケットを受信するように設定され且つＰＳモードに設定された無線通信端末ＳＴＡの識別情報がＳＴＡテーブル１９に設定されていないと判定した場合に、ＤＴＩＭビーコンを用いずにパケット受信部３０１によって受信されたマルチキャストパケットを送信する旨の送信タイミング情報を生成するものであってもよい（第８の態様）。
【００６５】
従って、この第８の態様の無線通信システム１００によれば、全ての無線通信端末ＳＴＡがＰＳモードに設定されていない場合には、バッファリングせずにマルチキャストパケットが送信されるので送信遅延ジッタによるマルチキャストパケットの品質劣化が回避できる。また、ＰＳモードに設定されている無線通信端末ＳＴＡが一台でもある場合には、バッファリングを行ってＰＳモードに対応させるので、マルチキャストパケットの確実な受信が担保できる。更に、このような処理は、アクセスポイントＡＰ１によって受信されたマルチキャストパケット毎に実行される。
【図面の簡単な説明】
【００６６】
【図１】従来の無線通信システムの動作を説明するためのタイミングチャートである。
【図２】実施形態に係る無線通信システムの構成を示す図である。
【図３】実施形態に係る無線通信端末の構成を示す図である。
【図４】実施形態に係る無線通信端末の構成を示す図である。
【図５】実施形態に係るアクセスポイントの構成を示す図である。
【図６】実施形態に係るアクセスポイントの構成を示す図である。
【図７】実施形態に係る無線通信端末テーブルの一例を示す図である。
【図８】実施形態に係る無線通信システムの動作を説明するためのタイミングチャートである。
【符号の説明】
【００６７】
１００…無線通信システム、１１，２１…ＣＰＵ、１２，２２…ＲＯＭ、１３，２３…ＲＡＭ、１４…操作装置、１５，２４…無線通信装置、１６…ディスプレイ、１７，２５…記録装置、１８，２６…バス、１９…ＳＴＡテーブル、１９ａ…識別情報、１９ｂ…通信動作情報、１９ｃ…ＭＣ受信情報、２０１…パケット送信部、２０２…パケット生成部、２０３…ＭＣサービス情報管理部、２０４…ＭＣ開始・終了管理部、２０５…通信動作制御部、２０６…パケットバッファ部、２０７…アソシエーションリクエスト情報管理部、３０１…パケット受信部、３０２…受信パケット解析部、３０３…ＳＴＡテーブル管理部、３０４…パケット送信タイミング制御部、３０５…パケットバッファ部、３０６…パケット送信部、ＡＰ１，ＡＰ１ａ…アクセスポイント、ＮＥ１…バックボーンネットワーク、ＳＡ１…コンテンツサーバ、ＳＴＡ１〜ＳＴＡ５，ＳＴＡ１ａ，ＳＴＡ２ａ，ＳＴＡ３ａ…無線通信端末
【図１】
2010081367.tif 000003
【図２】
2010081367.tif 000004
【図３】
2010081367.tif 000005
【図４】
2010081367.tif 000006
【図５】
2010081367.tif 000007
【図６】
2010081367.tif 000008
【図７】
2010081367.tif 000009
【図８】
2010081367.tif 000010